(57)【要約】      （修正有）【課題】患者が身動きのできない寝たきりの状態下でできた患部の悪化を防止し、かつ治療効果のある患部保護包帯の提供。【解決手段】患部保護包帯は、正方形のシート状基材１の表面に薬剤１１を有する。このシート状基材の大きさは、局部の下部に敷設し、かつ覆うことのできる大きさであることが好ましく、この形状は任意である。またこのシート状基材１の上辺の両端及び下辺の両端に固定部材２１、２２、２３、２４を有する。また固定部材として、透孔と紐を用いて縛ってもよい。【選択図】図１
0003117975.tif 000002
【実用新案登録請求の範囲】
【請求項１】
局部の下部に敷設し、かつ覆うことのできるシート状基材の上辺の両端及び下辺の両端に固定部材を有することを特徴とする患部保護包帯。
【請求項２】
シート状基材の表面の少なくとも一部に薬剤を有することを特徴とする請求項１に記載の患部保護包帯。
【請求項３】
前記固定部材が粘着テープ又はマジックテープ（登録商標）のいずれかであることを特徴とする請求項１又は請求項２に記載の患部保護包帯。
【請求項４】
前記固定部材が紐とシート状基材に設けられた透孔とからなることを特徴とする請求項１又は請求項２に記載の患部保護包帯。
【請求項５】
前記シート状基材の裏面に湿気透過性部材を有することを特徴とする請求項１乃至請求項４のいずれかに記載の患部保護包帯。
【考案の詳細な説明】
【技術分野】
【０００１】
本考案は、患部保護包帯に関するもので、更に詳しくは、局部の下部に敷設し、かつ覆うことができる患部の悪化を防止した患部保護包帯に関する。
【背景技術】
【０００２】
従来、長期間患者が床乃至ベッドに寝ていると、床ずれや特に皮膚が柔らかく、かつ皮膚と皮膚とが接触している箇所、特に局部（陰嚢）等ではむれて発汗しやすいため、あせも、いんきんたむしやみずむしなどができる場合が多い。このようなできものができた場合、患者に意識がある場合は、患者のかゆみによる不快感は、患者の訴えにより知ることができるので、患者の要望にしたがい、これらの患部を消毒したり、適宜の時間間隔をおいて消毒するなどの方法が行われており、患部を清潔に保つことができる。一般に、熱傷、床ずれ、その他の外傷による創傷を治療する場合は、患者の意識がある場合がほとんどであるから、これらの創傷の治療の一つの方法として、傷口に治療薬を塗布した後、その上にガーゼを被せ、被覆材で固定する方法がとられている（例えば、特許文献１参照）。しかし、患者が昏睡状態にある場合には、寝返りを打つことはもちろんのこと、意思を伝えることもできないので、局部にあせも、いんきんたむしやみずむしなどができ、かゆみが非常に著しく、不快感があるであろうと推察しても、このままの状態の場合に放置される場合が多く、週に１乃至２回、体を拭き、消毒する時に、ついでに局部を消毒するなどが一般的である。
【特許文献１】特開２００２−２００１１０（段落０００２）
【考案の開示】
【考案が解決しようとする課題】
【０００３】
しかしながら、前述の如き特許文献１に記載されている如く、患者に意識がある場合には、身体の患部の状態を患者自身充分把握しているので、患部が痛いとかかゆいとかの意思伝達ができるので、その対応が図れるが、長期間昏睡状態にある患者は、自分で意思の伝達ができないので、介護者からみると、かゆく、不快感がありそうであることを思うと心情的に心が痛むのが実情であるが、実際には週に１乃至２回、患者の体を拭き、消毒する程度で局部まで十分手がまわらないのが実情で何の処置も施されない場合が多いという点で問題であった。
【０００４】
そこで、本考案者は、前記問題点につき、種々、検討したところ、陰嚢の下部の皮膚と腿の皮膚とが接触してむれた状態が続くと体温でが上がり発汗しやすいため、あせも、いんきんたむしやみずむしなどができることがわかり、この知見により本考案者は、これらの間の接触を断つと共に、該患部に薬剤を被覆した包帯を介在させることにより、患部の悪化を防止するばかりでなく、治療効果も得られることを見出し、ここに本考案をなすに至った。
【０００５】
したがって、本考案が解決しようとする課題は、患者が身動きのできない寝たきりの状態下でできた患部の悪化を防止し、かつ治療効果のある患部保護包帯を提供することにある。
【課題を解決するための手段】
【０００６】
本考案の上記各課題は、以下の各考案によってそれぞれ達成される。
【０００７】
（１）局部の下部に敷設し、かつ覆うことのできるシート状基材の上辺の両端及び下辺の両端に固定部材を有することを特徴とする患部保護包帯。
（２）シート状基材の表面の少なくとも一部に薬剤を有することを特徴とする前記第１項に記載の患部保護包帯。
（３）前記固定部材が粘着テープ又はマジックテープ（登録商標）のいずれかであることを特徴とする前記第１項又は第２項に記載の患部保護包帯。
（４）前記固定部材が紐とシート状基材に設けられた透孔とからなることを特徴とする前記第１項又は第２項に記載の患部保護包帯。
（５）前記シート状基材の裏面に湿気透過性部材を有することを特徴とする前記第１項乃至第４項のいずれかに記載の患部保護包帯。
【考案の効果】
【０００８】
（１）本考案の第１項に記載の患部保護包帯によれば、局部の下部に敷設し、かつ覆うことのできるシート状基材の上辺の両端及び下辺の両端に固定部材を有することにより、患部を十分覆うことができるばかりでなく固定部材により簡単に固定することができるという優れた効果を奏するものである。（２）本願第２項の患部保護包帯によれば、シート状基材の表面の少なくとも一部に薬剤を有することにより患部が悪化することなく良好に治療される。（３）本願第３項の患部保護包帯によれば、前記固定部材が粘着テープ又はマジックテープ（登録商標）のいずれかであることにより、敷設乃至装着に際し、簡単に固定することができ、全く煩わしさがないという優れた効果を奏するものである。
【０００９】
（４）本願第４項患部保護包帯によれば、前記固定部材が紐とシート状基材に設けられた孔とからなることにより、患部を包んだ語後、紐をたすき掛けすることにより患部を十分に包み込みができるばかりでなく、患部を有する基部に縛って確実に固定することができるという優れた効果を奏するものである。
【００１０】
（５）本願第５項によれば、前記第１項乃至第４項のいずれかに記載の患部保護包帯において、前記シート状基材の裏面に湿気透過性部材を有することにより、皮膚に接触することによって体温が上がり発汗してでた湿気を吸収して皮膚表面を乾燥状態に維持することができるという優れた効果を奏するものである。
【考案を実施するための最良の形態】
【００１１】
以下に、本考案の実施の形態を図面で説明するが、本考案は、これに限定されるものではない。図１は、本考案の患部保護包帯を示す平面図である。図２は、本考案の患部保護包帯本体の構造を示す断面図である。図３は、本考案に用いられる粘着テープの構造を示す断面図である。図４は、本考案の患部保護包帯の別の実施の形態を示す平面図である。図１及び２において、本考案の患部保護包帯は、正方形のシート状基材１の表面に薬剤１１を有する。このシート状基材の大きさは、局部の下部に敷設し、かつ覆うことのできる大きさであることが好ましい。またこのシート状基材の形状は、正方形に限らず、長方形、五角形、六角形などの多角形、更に円形、楕円形などの形状であってもよい。このシート状基材１の上辺の両端及び下辺の両端に固定部材２１、２２、２３、２４を有する。
【００１２】
本考案に用いられるシート状基材１としては、特に限定されるものではなく、この技術分野において通常用いられるものであればよく、織布や不織布、編物などがあり、織布では、ガーゼ、ネル布、タオル地などが好ましい。また不織布としては、紙繊維や天然繊維（綿、絹など）や合成繊維からなるものが好ましい。このようなシート状基材１の表面には、薬剤が塗布されていることが好ましい。薬剤としては、あせも、いんきんたむしやみずむしなどの市販されている治療薬である軟膏やクリーム、更にはパウダーなどでよく、特に薬効成分としては、抗菌剤であれば、耐性菌などが出現し難いスルファジアジン銀などが好ましく使用される。
【００１３】
本考案に用いられる粘着テープとしては、特別のものではなく、通常市販されているものでよく、好ましくは粘着剤層の表面に剥離シートが設けられていることが好ましい。図３には、本考案に用いられる粘着テープの断面構造が示されており、フィルム２０上に粘着剤３が塗布され，更にこの上に剥離シート４が設けられている。更に両面粘着テープであれば、これらの一方をシート状基材１に貼付して取り付けることができる。しかし、該シート状基材１への取り付けは、片面粘着テープの場合は、該テープの裏面に接着剤を塗布して接着するのが好ましいが、これに限らず適宜の方法で取り付けてもよい。また粘着テープ取り付けにおいて、シート状基材１の薬剤塗布面に対して、粘着剤層面を上にして取り付けてもまた下にして取り付けてもよく、局部を包み込んだ後、いずれを選択するかによって粘着テープの貼着形態又は固定形態は異なるが、これによって局部の包み込みが不十分となることはない。更に本考案では、固定部材として、この粘着テープに代えてマジックテープやひもなどを用いることができる。マジックテープ(登録商標）には各種のものがあるが、これらは市販されているものでよい。
【００１４】
更に患部保護包帯の使用の具体例を挙げて説明すると、図１において、シート状基材１の薬剤と譜面を上にして局部の下にあてがい、かつ包み込んだ後、粘着テープ２３の剥離シート４を剥がし、粘着面３を露出し、ついで、粘着テープ２４の剥離シート４を剥がし、粘着面３を露出し、これらの粘着面同士を貼着する。次に、粘着テープ２１と粘着テープ２２についても同様にしてそれぞれ剥離シート４を剥がし、粘着面３を露出した後、これらの粘着面同士を貼着する。これにより幹部を有する局部を確実に包み込むことができるばかりでなく、長時間そのままの状態に包み込んでおくことができるという優れた効果を奏する。
【００１５】
図４において、略正方形のシート状基材１の表面には薬剤１１が塗布されている。このようなシートの上辺の両端に孔６１、６２を設け、また下辺の両端には紐５１、５２が取り付けてある。このようにして得られた患部保護包帯を孔６１、６２を有する方から局部の下に敷き込み、かつ局部を包み込み、ついで、たすき掛けになるように孔６１に紐５２を通し、また孔６２に紐５１を通した後、これらの紐５１と５２とを結ぶ。このようにすることにより患部を有する局部は、確実に包み込まれ、長時間そのままの状態に包み込んでおくことができるという優れた効果を奏する。なお、前記の孔６１、６２は、円形、楕円形、スリット、切り込みなどによる透孔であってもよい。
【００１６】
本考案では、更に股と局部との接触部が患部保護包帯により隔離されても、長時間、股と局部を包んだ患部保護包帯とで体温によりむれることを防止するために、湿気の透過しやすいように、シート状基材の裏面に湿気透過性部材を設けることもできる（図示せず）。
【産業上の利用可能性】
【００１７】
本考案では、前述の如き作用効果を発揮するので、寝たきりの患者や昏睡状態の患者に対して広く使用することができる。
【図面の簡単な説明】
【００１８】
【図１】本考案の患部保護包帯を示す平面図である。
【図２】本考案の患部保護包帯本体を示す断面図である。
【図３】本考案に用いられる粘着テープの構造を示す断面図である。
【図４】本考案の患部保護包帯の別の実施の形態を示す平面図である。
【符号の説明】
【００１９】
１  シート状基材
２、２１、２２、２３、２４  固定部材（粘着テープ）
３  粘着剤又は粘着剤層
４  剥離シート
５  ひも
６１、６２  孔
１１  薬剤又は抗菌剤
２０  フィルム
【図１】
0003117975.tif 000003
【図２】
0003117975.tif 000004
【図３】
0003117975.tif 000005
【図４】
0003117975.tif 000006